(57)【要約】      （修正有）【課題】使用感が良く、また脱落が抑制された、男性の泌尿器の外形に特化した男性用尿吸収具を提供する。【解決手段】男性用尿吸収具１０ａは、先端１１が閉塞され、後端を陰茎の挿入口１２とする有底円筒状に形成された、伸縮性を有する筒袋体１３と、筒袋体１３における先端から中間部の内側に設けられ、筒袋体１３内面に接する面に防水層が形成された、有底円筒状の高分子吸収体と、筒袋体１３の後端部の外周面に挿入口１２の径を調節可能に設けられた締め具１４と、を備える。【選択図】図１
0003216251.tif 000002
【実用新案登録請求の範囲】
【請求項１】
先端が閉塞され、後端を陰茎の挿入口とする有底円筒状に形成された、伸縮性を有する筒袋体と、
前記筒袋体における先端から中間部の内側に設けられ、筒袋体内面に接する面に防水層が形成された、有底円筒状の高分子吸収体と、
前記筒袋体の後端部の外周面に前記挿入口の径を調節可能に設けられた締め具と、
を備えることを特徴とする男性用尿吸収具。
【請求項２】
前記筒袋体が、伸縮性を有する素材で形成されていることを特徴とする請求項１記載の男性用尿吸収具。
【請求項３】
前記筒袋体が、糸ゴムが設けられた不織布で形成されていることを特徴とする請求項１記載の男性用尿吸収具。
【請求項４】
前記糸ゴムが、前記筒袋体の軸線に沿って前記筒袋体の先端部から後端部まで設けられ、かつ前記糸ゴムが前記筒袋体の周方向に複数設けられていることを特徴とする請求項３記載の男性用尿吸収具。
【請求項５】
更に、前記筒袋体の後端部において、糸ゴムが前記筒袋体の軸線と直交する方向に、複数設けられていることを特徴とする請求項４記載の男性用尿吸収具。
【請求項６】
前記締め具は、面ファスナーであることを特徴とする請求項１乃至請求項５のいずれかに記載の男性用尿吸収具。
【請求項７】
使用者の腰に巻き付けられるベルトと、
前記ベルトに設けられた、前記筒袋体を固定するための筒袋体固定部と、
を備え、
前記筒袋体固定部には、前記筒袋体が挿通する開口部と、前記未使用の筒袋体を収納する収納部とが形成されていることを特徴とする請求項１乃至請求項６のいずれかに記載の男性用尿吸収具。
【請求項８】
前記筒袋体固定部が前開き型の男性用下着の内側に配置され、前記男性用下着と一体型に形成されていることを特徴とする請求項７に記載の男性用尿吸収具。
【考案の詳細な説明】
【技術分野】
【０００１】
本考案は、男性用尿吸収具に関するものである。
【背景技術】
【０００２】
乳幼児用のし尿吸収具（いわゆるオムツ）は古くから広く普及している。一方、乳幼児に限らず、高齢者や障害者など排尿や排便を自己の意思で制御できない者もおり、それらの者の使用に適するように、乳幼児用のし尿吸収具が改良されて商品化されている。
【０００３】
更に、排尿や排便を自己の意思で制御できる者の中にも、その制御が不完全である者もあり、軽度の失禁（いわゆる尿漏れ）が発生することがある。
このような軽度の失禁に対しては、乳幼児用のし尿吸収具に類似した形態では過剰であり、使用感が悪く、また日常生活に支障をきたす場合がある。
また、成人の泌尿器の外形は男女差が大きく、男性の泌尿器の外形に特化した尿吸収具が求められており、例えば、特許文献１に示すような尿洩れ処理用パットが提案されている。
【先行技術文献】
【特許文献】
【０００４】
【特許文献１】特開平８−５２１６９号公報
【考案の概要】
【考案が解決しようとする課題】
【０００５】
ところで、特許文献１に示された尿洩れ処理用パットは、防水膜層、吸収体、補強膜層が一体となった有底円筒状のパットからなり、そのパットの一端部に設けられた紐を結びつけることにより、陰茎に装着するものである。
この防水膜層、吸収体、補強膜層が一体となった有底円筒状のパットでは、径方向のサイズは紐によって調整可能に構成されている。
【０００６】
しかしながら、防水膜層、吸収体、補強膜層は伸縮性がないために、使用者の陰茎の長さに対応したサイズの種々のパットを用意する必要があった。この場合、種々のパットを製造しなければならず、製造コストが嵩むという技術的課題があった。
【０００７】
一方、使用者が、陰茎の長さ以上のサイズのパットを使用することも考えられる。しかしながら、この場合、陰茎の長さ以上のサイズのパットを使用するため、亀頭部とパット先端部の間に隙間部が生じるために、使用感が悪く、また脱落する虞があるという技術的課題があった。
【０００８】
本考案は、前記した課題を解決するためになされたものであり、使用感が良く、また脱落を抑制することができる、男性の泌尿器の外形に特化した男性用尿吸収具を提供することを目的とする。
【課題を解決するための手段】
【０００９】
上記目的を達成するためになされた本考案に係る男性用尿吸収具は、先端が閉塞され、後端を陰茎の挿入口とする有底円筒状に形成された、伸縮性を有する筒袋体と、前記筒袋体における先端から中間部の内側に設けられ、筒袋体内面に接する面に防水層が形成された、有底円筒状の高分子吸収体と、前記筒袋体の後端部の外周面に前記挿入口の径を調節可能に設けられた締め具と、を備えることを特徴としている。
【００１０】
このように、本発明では、筒袋体が伸縮性を有し、筒袋体における先端から中間部の内側に高分子吸収体が設けられているため、陰茎の長さに対応して、筒袋体を伸縮させることができる。
その結果、使用者に対応する種々のパットを製造する必要もなく、Ｓサイズ，Ｍサイズ，Ｌサイズ等の規格化したサイズで対応することができ、製造コストの低減を図ることができる。
また亀頭部と高分子吸収体の先端部の間に不必要な隙間部が生じないために、使用者にとって使用感が良く、脱落も抑制することができる。
【００１１】
ここで、前記筒袋体が、伸縮性を有する素材で形成されていることが望ましく、例えば、毛糸、合成繊維で形成されていることが好ましい。
前記毛糸は、伸縮性を有し、しかも空気の流通性、汗等の吸収性に優れるため、適している。尚、伸縮性を有する合成繊維を用いても良い。
【００１２】
また、前記筒袋体が、糸ゴムが設けられた不織布で形成されていても良い。
このように、筒袋体の素材自体が伸縮性を有していない場合であっても、糸ゴムにより、筒袋体に伸縮性を与えても良い。
【００１３】
前記筒袋体が、糸ゴムが設けられた不織布で形成されている場合には、前記糸ゴムが、前記筒袋体の軸線に沿って前記筒袋体の先端部から後端部まで設けられ、かつ前記糸ゴムが前記筒袋体の周方向に複数設けられているのが好ましい。
このように構成することにより、前記筒袋体は縦方向に伸縮可能となり、使用者の陰茎の長さに対応して、筒袋体を伸縮させることができる。
【００１４】
更に、前記筒袋体の後端部において、糸ゴムが前記筒袋体の軸線と直交する方向に、複数設けられていることが望ましい。
このように構成されている場合には、使用者の陰茎の径に対応して、筒袋体を伸縮させることができるため、筒袋体の脱落をより防止することができる。
【００１５】
また前記締め具は、面ファスナーであることが好ましい。
また、前記面ファスナー以外にも、線ファスナー、紐等の締め具を用いることができるが、特に、面ファスナーは着脱操作が容易に行えるため、好ましい。
【００１６】
また、使用者の腰に巻き付けられるベルトと、前記ベルトに設けられた、前記筒袋体を固定するための筒袋体固定部と、を備え、前記筒袋体固定部には、前記筒袋体が挿通する開口部と、前記未使用の筒袋体を収納する収納部とが形成されていることが望ましい。
このように、前記筒袋体が開口部に挿通され、筒袋体の後端部の締め具が開口部の縁部に当たるため、筒袋体の脱落をより防止することができる。
【００１７】
また、前記筒袋体固定部が前開き型の男性用下着の内側に配置され、前記男性用下着と一体型に形成されていることが望ましい。
【考案の効果】
【００１８】
本考案によれば、使用感が良く、また脱落を抑制することができる、男性の泌尿器の外形に特化した男性用尿吸収具を得ることができる。
【図面の簡単な説明】
【００１９】
【図１】図１は、本考案の第１実施形態に係る男性用尿吸収具の概略構成を示した図である。
【図２】図２は、図１に示した本考案の第１実施形態に係る男性用尿吸収具のＡ−Ａ断面図である。
【図３】図３は、本考案の第２実施形態に係る男性用尿吸収具の概略構成を示した図である。
【図４】図４は、本考案の第３実施形態に係る男性用尿吸収具の概略構成を示した図である。
【図５】図５は、本考案の第４実施形態に係る男性用尿吸収具の概略構成を示した図である。
【図６】図６は、本考案に係る男性用尿吸収具の第５実施形態を示した概略構成図である。
【図７】図７は、本考案の係る男性用尿吸収具の第６実施形態を示した概略構成図である。
【考案を実施するための形態】
【００２０】
以下、本考案の実施形態に係る男性用尿吸収具につき、図面に基づいて説明する。ただし、本考案の実施形態に係る男性用尿吸収具が以下で説明する実施形態に限定されるものではない。添付の図面は模式的なものであり、各要素の寸法や比率などが実際と異なる場合がある。
【００２１】
（第１実施形態）
図１は、本考案の第１実施形態に係る男性用尿吸収具の概略構成を示した図であって、図１（ａ）は男性用尿吸収具を示す概略構成図、（ｂ）は男性用尿吸収具の先端部側から見た側面図である。また、図２は、図１（ａ）のＡ−Ａ断面を示す図である。
【００２２】
図１に示すように、本考案の第１実施形態に係る男性用尿吸収具１０ａは筒袋体１３を備えている。
前記筒袋体１３は、先端１１が閉塞され、後端を陰茎の挿入口１２とした有底円筒状の形状を基本的な形状としている。
前記筒袋体１３は、例えば、全長７〜１５ｃｍかつ直径２〜６ｃｍであり、筒状素材の先端１１を閉塞することで作製することができる。
【００２３】
この前記筒袋体１３は不織布で形成されている。不織布としては、例えば、ポリオレフィン、ポリエステル等からなる不織布を好適に用いることができる。
この不織布は伸縮性を有しないために、筒袋体１３には糸ゴム１３ａが設けられている。このように、筒袋体１３の素材自体が伸縮性を有していない場合であっても、糸ゴム１３ａを設けることにより、筒袋体１３に縦方向（軸線方向）に伸縮性を与えることができる。
尚、この糸ゴム１３ａは、図２に示すように、重ね合わせられた不織布の間（積層された不織布間）に配置される。
【００２４】
この糸ゴム１３ａは、図１（ａ）に示すように、筒袋体１３の軸線に沿って筒袋体１３の先端部から後端部まで設けられている。更に、糸ゴム１３ａは、筒袋体１３の周方向に複数設けられている。図１（ｂ）に示すように、この実施形態では６本の糸ゴム１３ａが配置されているが、本発明は、この本数に限定されるものではない。
このように糸ゴム１３ａを配置することにより、筒袋体１３を縦方向に伸縮させることができ、使用者の陰茎の長さに対応させることができる。
【００２５】
更に、筒袋体１３の後端部には、糸ゴム１３ｂが筒袋体１３の軸線と直交する方向に、複数設けられている。図１（ａ）では、３本の糸ゴム１３ｂが配置されている場合を示している。
このように筒袋体１３の後端部を周方向に巻回するように、糸ゴム１３ｂを配置した場合には、使用者の陰茎の径に対応して、筒袋体１３を径方向に伸縮させることができるため、筒袋体１３の脱落をより防止することができる。
尚、この糸ゴム１３ｂも、糸ゴム１３ａと同様に、重ね合わせられた不織布の間（積層された不織布間）に配置される。また、前記糸ゴム１３ｂの本数は、糸ゴムの強さに応じて適宜選定される。
【００２６】
また、筒袋体１３の後端（挿入口１２）から略中間部の範囲にスリット１３ｃが設けられている。このスリット１３ｃは、挿入口１２をより広く開くためのものである。
更に、前記筒袋体１３の後端部の外周面には、締め具として面ファスナー１４が設けられ、挿入口１２の径を調節可能に構成されている。この面ファスナー１４は、例えば、フック状に起毛された面１４ａとループ状に密集して起毛された面１４ｂとを自在に貼り付けたり、剥がしたりすることができる（着脱できる）、一般的に流通されているものを用いることができる。
【００２７】
この一対の面ファスナー１４は、前記スリット１３ｃを跨いで架け渡すように対となって筒袋体１３に設けられている。
したがって、スリット１３ｃによって挿入口１２を拡げ、使用者の陰茎を挿入後、一対の面ファスナー１４を貼り付けることにより、筒袋体１３を確実に装着することができる。
【００２８】
このように、締め具としての面ファスナー１４は、伸縮性を有する筒袋体１３と相まって、使用者の不快感を抑制しながら、筒袋体１３の脱落を防止できる。
また、面ファスナー１４は、貼り剥がし（着脱）が容易なため、男性用尿吸収具１０ａの装着脱を容易に行うことができる。
【００２９】
また、前記筒袋体１３における先端１１側の内側には、高分子吸収体１５が設けられている。高分子吸収体１５を設ける範囲は、例えば先端１１から３〜７ｃｍの範囲とすることが好ましい。
即ち、高分子吸収体１５は、例えば、全長７〜１５ｃｍに形成された筒袋体１３の先端から略中間の位置（中間部）の範囲に設けられ、略中間の位置（中間部）から後端部の範囲には、高分子吸収体１５は設けられていない。
このように、先端１１から略中間の位置（中間部）の範囲には、高分子吸収体１５が存在するため、使用者の陰茎の長さに対応して筒袋体が伸縮しても、洩れた尿を確実に吸収することができる。
一方、略中間の位置（中間部）から後端部の範囲には、高分子吸収体１５は設けられていないため、前記筒袋体１３を前記締め具（面ファスナー１４）によって、使用者の陰茎に確実に装着することができる。
【００３０】
ここで、用いる高分子吸収体１５としては、例えばポリアクリル酸ナトリウムなど、高吸収性高分子（ＳＡＰ）として知られているポリマーを用いることができる。
尚、高分子吸収体１５の中に消臭剤、あるいは抗菌剤等を含有させることが好ましい。
【００３１】
また、図２に示されるように、高分子吸収体１５は、防水層１６を介して筒袋体１３の内側面に設けられている。即ち、男性用尿吸収具１０ａは、筒袋体１３の内面に接する面側に、防水層１６が形成された有底円筒状の高分子吸収体１５を備えている。
これにより、高分子吸収体１５を透過してしまう尿が、筒袋体１３の外部に洩出することを防止できる。
前記防水層１６としては、尿を透過させない素材であれば、素材を限定するものではないが、例えばポリオレフィンシートを用いることができる。
また、陰茎と接する、高分子吸収体１５の表面（図２における高分子吸収体１５の上面）をメッシュ状のシートで覆えば、使用者の装着感が向上するのでより好ましい。
【００３２】
ここで、前記高分子吸収体１５の層は、例えば２〜６ｍｍの厚さとすることができる。この高分子吸収体１５の層の厚さが６ｍｍを越えると使用感が悪く、一方、厚さが２ｍｍ未満の場合には、洩れた尿を確実に吸収することができず、好ましくない。
したがって、上記したように、高分子吸収体１５の層の厚さは、２〜６ｍｍが好ましい。
【００３３】
（第２実施形態）
図３は、本考案の第２実施形態に係る男性用尿吸収具の概略構成を示した図である。なお、第２実施形態に係る男性用尿吸収具は、第１実施形態と共通する構成が多いため、同一の構成については同一の符号を付すことにより説明を省略する。
【００３４】
前記第１実施形態では、筒袋体１３を不織布と糸ゴムで形成した場合を示したが、この第２実施形態にかかる男性用尿吸収具１０ｂは、筒袋体１３を、伸縮性を有する繊維で形成した点に特徴がある。この伸縮性を有する繊維としては、例えば、毛糸などの天然素材やポリウレタン等の合成繊維を用いることができる。
このように、筒袋体１３は伸縮性を有する繊維で形成されている場合には、第１実施形態のような糸ゴムを用いる必要はない。
尚、伸縮性を有する繊維の選択に際し、伸縮性のみならず、むれ防止の観点から空気流通性に優れた素材を選択するのが望ましく、更に汗、洩れた尿等の水分を吸収できる吸水性に優れた素材であることがより好ましい。
【００３５】
（第３実施形態）
図４は、本考案の第３実施形態に係る男性用尿吸収具の概略構成を示した図である。なお、第３実施形態に係る男性用尿吸収具は、第１実施形態と共通する構成が多いため、同一の構成については同一の符号を付すことにより説明を省略する。
【００３６】
前記第１実施形態では、締め具として面ファスナー１４を用いた場合を示したが、この第３の実施形態に係る男性用尿吸収具１０ｃでは、図４に示すように、筒袋体１３の略中間部から後端部の範囲の外周面に、挿入口１２に設けられた切り込みを開閉し得るように、締め具としての線ファスナー１７が設けられている点に特徴がある。
この線ファスナー１７は、務歯１７ａと呼ばれる歯を一対の基材上に並べて構成したもので、当該一対の務歯１７ａの列の間でスライダー１７ｂを動かすことで、務歯１７ａ同士を咬み合わせる一般的なものを用いることができる。
【００３７】
この構成によっても、伸縮性を有する筒袋体１３と相まって、使用者の不快感を抑えながら、筒袋体１３の脱落を防止することができる。
【００３８】
特に、この実施形態で用いられる筒袋体１３にあっては、筒袋体１３の長さ方向の伸縮性のみならず、筒袋体１３の径方向の伸縮性を有する必要がある。この筒袋体１３が径方向の伸縮性も有することにより、男性用尿吸収具１０ｂは、確実に保持され、脱落を防止することができる。
【００３９】
（第４実施形態）
図５は、本考案の第４実施形態に係る男性用尿吸収具の概略構成を示した図である。なお、第４実施形態に係る男性用尿吸収具１０ｄは、第１実施形態と共通する構成が多いため、同一の構成については同一の符号を付すことにより説明を省略する。
【００４０】
前記第１実施形態では、締め具として面ファスナー１４を用いた場合を示したが、この第４の実施形態に係る男性用尿吸収具１０ｄでは、図５に示すように、筒袋体１３の後端部の外周面に、締め具としての紐１８が設けられている点に特徴がある。
前記紐１８は、挿入口１２に設けられたスリット１３ｃ（筒袋体の後端から略中間部の範囲に設けられた切り込み）を跨いで架け渡すように対となって設けられており、この紐１８を結ぶことによって、挿入口１２の径を調整するように構成されている。
【００４１】
この構成によっても、伸縮性を有する筒袋体１３と相まって、使用者の不快感を抑制しつつ、筒袋体１３の脱落を防止することができる。
しかしながら、筒袋体１３を、紐１８を結ぶことによって陰茎に装着する場合には、着脱に時間がかかり、あまり好ましくない。より短時間で装着を実行するには、前記第１実施形態乃至第３実施形態が好ましい。
【００４２】
（第５実施形態）
この第５実施形態は、筒袋体１３を固定するための筒袋体固定部２０を備える男性用尿吸収具１０Ａである点に特徴を有する。したがって、図６に示す第５実施形態に係る男性用尿吸収具１０Ａは、前記した第１実施形態乃至第４実施形態のいずれの男性用尿吸収具１０ａ〜１０ｄ（筒袋体１３）にも適用することができる。
【００４３】
図６に示すように、第５実施形態に係る男性用尿吸収具１０Ａの筒袋体１３は、男性用尿吸収具１０ａ〜１０ｄと同様な構成を有している。即ち、詳細には図示しないが、先端１１が閉塞され、後端を陰茎の挿入口１２とする筒袋体１３を有し、筒袋体１３における先端１１側の内側には、防水層１６を介して高分子吸収体１５が設けられている。
また、筒袋体１３の後端部の外周面には、挿入口１２の径を調節可能に設けられた締め具（図中では面ファスナー１４）が備えられている。この締め具によって、筒袋体１３は使用者の陰茎に固定される（装着される）。尚、締め具については、第１乃至第４実施形態に示された締め具を用いることができる。
【００４４】
この実施形態では、ベルト１９を備えている。このベルト１９は、図６に示されるように、装着時に使用者Ｐの腰に巻き付けて、筒袋体１３が脱落するのを防止するためのものである。
具体的には、男性用尿吸収具１０Ａは、使用者Ｐの腰に巻き付けられるベルト１９と、前記ベルト１９に設けられた、前記筒袋体１３を固定するための筒袋体固定部２０を備えている。
【００４５】
この筒袋体固定部２０の上端は、図６（ａ）に示すように、ベルト１９に縫い付けられ、他端は自由端とされる。尚、筒袋体固定部２０の他端を、使用者Ｐの股を通して使用者Ｐ背面側のベルト１９に縫い付けても良い。
【００４６】
また、この筒袋体固定部２０には、前記筒袋体１３が挿通する開口部２１と、前記未使用の筒袋体を収納する収納部２２とが形成されている。
この収納部２２は袋状（ポケット状）に形成され、図示しないが、この収納部２の上端部には、面ファスナー、あるいは線ファスナーが設けられ、上端部の開口を閉じられるように構成しても良い。
また、前記開口部２１には、外側に延設されたスリット２１ａが形成され、径の異なる筒袋体１３が挿通可能に構成されている。この開口部２１を挿通した筒袋体１３は、締め具が開口部２１の縁部（使用者側の縁部）に当たり、脱落が防止される。
【００４７】
また、収納部２２は、未使用の筒袋体を収納する収納部２２ａと，使用済の筒袋体を収納する収納部２２ｂを備えている。
この収納部２２は筒袋体固定部２０の上部に設けられると共に、上方が開口した袋状に形成されている。この収納部２２は上方が開口した袋状に形成されているため、使用者Ｐは筒袋体の収納，取り出しを容易に行うことができる。
【００４８】
この第５実施形態に係る男性用尿吸収具１０Ａにあっては、締め具によって筒袋体１３は使用者の陰茎に固定され（装着され）、更に筒袋体固定部２０によって、筒袋体１３を固定するため、脱落をより防止することができる。
【００４９】
（第６実施形態）
図７は、本考案の第６実施形態に係る男性用尿吸収具の概略構成を示した図である。
【００５０】
この男性用尿吸収具１０Ｂは、前記した第５実施形態の筒袋体固定部２０を前開き型の男性用下着の内側に配置し、前記男性用下着と一体に形成した点に特徴がある。したがって、図７に示す第６実施形態に係る男性用尿吸収具１０Ｂは、前記した第１実施形態乃至第４実施形態のいずれの男性用尿吸収具１０ａ〜１０ｄ（筒袋体１３）にも適用することができる。
【００５１】
この男性用尿吸収具１０Ｂの筒袋体固定部２０の上端は、前開き型の男性用下着３０のベルトに縫い付けられ、他端は自由端とされ、男性用下着の内側に配置され、男性用下着と一体になされる。あるいは筒袋体固定部２０の前記他端を、前記男性用下着３０の股下部Ｍに縫い付けてもよい。
このように構成することにより、この男性用尿吸収具１０Ｂは、前開き型の男性用下着３０と一体型になすことができる。しかも、男性用下着によって筒袋体の脱落をより防止することができる。
【００５２】
上記したように、第１実施形態乃至第４実施形態のいずれの男性用尿吸収具１０ａ〜１０ｄ（筒袋体１３）も単独で使用することができる。
また、第１実施形態乃至第４実施形態のいずれの男性用尿吸収具１０ａ〜１０ｄ（筒袋体１３）と、第５実施形態の男性用尿吸収具１０Ａ、第６実施形態の男性用尿吸収具１０Ｂのいずれかを組み合わせて使用しても良い。
このように、第１実施形態乃至第４実施形態のいずれの男性用尿吸収具１０ａ〜１０ｄ（筒袋体１３）を使用する際、男性用尿吸収具１０Ａ、男性用尿吸収具１０Ｂのいずれかを併せて用いた場合には、筒袋体の脱落をより防止でき、好ましい。
【符号の説明】
【００５３】
１０ａ，１０ｂ，１０ｃ，１０ｄ，１０Ａ，１０Ｂ    男性用尿吸収具
１１      先端
１２      開口部
１３      筒袋体
１４      面ファスナー（締め具）
１５      高分子吸収体
１６      防水層
１７      線ファスナー（締め具）
１８      紐（締め具）
１９      ベルト
２０      筒袋体固定部
２１      開口部
２１ａ    スリット
２２      収納部
３０      前開き型の男性用下着
【図１】
0003216251.tif 000003
【図２】
0003216251.tif 000004
【図３】
0003216251.tif 000005
【図４】
0003216251.tif 000006
【図５】
0003216251.tif 000007
【図６】
0003216251.tif 000008
【図７】
0003216251.tif 000009